【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
バイオフラボノイド組成物で含浸させた乾燥したセルロース系繊維材料であって、該組成物のバイオフラボノイド分は、少なくともナリンギンおよびネオヘスペリジンを含む、上記セルロース系繊維材料。
【請求項２】
前記ナリンギンおよびネオヘスペリジンが共に、バイオフラボノイド分の少なくとも５０％、少なくとも７０％、少なくとも７５％、または、７５％〜８０％を構成する、請求項１に記載の材料。
【請求項３】
前記組成物のバイオフラボノイド分が、ネオエリオシトリン、イソナリンギン、ヘスペリジン、ネオジオスミン、ナリンゲニン、ポンシリン、およびロイフォリンの群より選択される１種またはそれより多くの化合物をさらに含む、請求項１または２に記載の材料。
【請求項４】
前記組成物のバイオフラボノイド分が、ネオエリオシトリン、イソナリンギン、ヘスペリジン、ネオジオスミン、ナリンゲニン、ポンシリン、およびロイフォリンを含む、請求項３に記載の材料。
【請求項５】
前記バイオフラボノイド組成物が、前記材料全体にわたり均一である、請求項１〜４のいずれかに記載の材料。
【請求項６】
前記材料が、紙である、請求項１〜５のいずれかに記載の材料。
【請求項７】
前記材料が、タケ繊維である、請求項１〜６のいずれかに記載の材料。
【請求項８】
前記紙またはタケが、タオル、クロス、食品用パッド、または、呼吸用マスクの形態である、請求項６または７に記載の材料。
【請求項９】
前記タケが、ソックスまたは病院用ガウンなどの衣類の形態である、請求項７に記載の材料。
【請求項１０】
前記材料が、厚紙である、請求項１〜５のいずれかに記載の材料。
【請求項１１】
バイオフラボノイド組成物でセルロース系繊維材料を含浸させる方法であって：
ａ）該材料もしくは該材料の繊維を、請求項１〜４のいずれかに記載のバイオフラボノイド組成物に浸漬するか、または該材料もしくは該材料の繊維に該バイオフラボノイド組成物を噴霧する工程；
ｂ）該材料を機械的に乾燥させる工程
を含む、上記方法。
【請求項１２】
表面上の細菌量を低下させる方法であって：
ａ）請求項６〜８のいずれかに記載の材料を水分で湿潤させる工程；および
ｂ）表面上に該材料をを置く工程、および／または該材料を表面全体に塗り付ける工程、
を含む、上記方法。
【請求項１３】
前記細菌量が、黄色ブドウ球菌（S. aureus）、大腸菌（E. coli）、緑膿菌（P. aeruginosa）、枯草菌（B. subtilis）、サルモネラ属、ＭＲＳＡ、クロストリジウム・ディフィシレ（C.diff）、およびヘリコバクター・ピロリ（H.pylori）の群から選択される細菌で構成される、請求項１２に記載の方法。
【請求項１４】
請求項１〜５のいずれかに記載の乾燥したセルロース系繊維材料を含む、包装された製品。
【請求項１５】
前記セルロース系繊維材料が、請求項６、７または１０のいずれかに記載のものである、請求項１４に記載の製品。
【請求項１６】
前記製品が、タオル、クロス、食品用パッド、呼吸用マスク、または、ソックスなどの衣類の形態である、請求項１４または１５に記載の製品。
【手続補正２】
【補正対象書類名】明細書
【補正対象項目名】００４９
【補正方法】変更
【補正の内容】
【００４９】
（１）  バイオフラボノイド組成物で含浸させた乾燥したセルロース系繊維材料であって、該組成物のバイオフラボノイド分は、少なくともナリンギンおよびネオヘスペリジンを含む、上記セルロース系繊維材料。
（２）  前記ナリンギンおよびネオヘスペリジンが共に、バイオフラボノイド分の少なくとも５０％を構成する、（１）に記載の材料。
（３）  前記ナリンギンおよびネオヘスペリジンが共に、バイオフラボノイド分の少なくとも７０％を構成する、（２）に記載の材料。
（４）  前記ナリンギンおよびネオヘスペリジンが共に、バイオフラボノイド分の少なくとも７５％を構成する、（３）に記載の材料。
（５）  前記ナリンギンおよびネオヘスペリジンが共に、バイオフラボノイド分の７５％〜８０％を構成する、（４）に記載の材料。
（６）  前記組成物のバイオフラボノイド分が、ネオエリオシトリン、イソナリンギン、ヘスペリジン、ネオジオスミン、ナリンゲニン、ポンシリン、およびロイフォリンの群より選択される１種またはそれより多くの化合物をさらに含む、（１）〜（５）のいずれか一項に記載の材料。
（７）  前記組成物のバイオフラボノイド分が、ネオエリオシトリン、イソナリンギン、ヘスペリジン、ネオジオスミン、ナリンゲニン、ポンシリン、およびロイフォリンを含む、（６）に記載の材料。
（８）  前記バイオフラボノイド組成物が、前記材料全体にわたり均一である、（１）〜（７）のいずれか一項に記載の材料。
（９）  前記材料が、紙である、（１）〜（８）のいずれか一項に記載の材料。
（１０）  前記材料が、タケ繊維である、（１）〜（８）のいずれか一項に記載の材料。
（１１）  前記紙またはタケが、タオルまたはクロスの形態である、（９）または（１０）に記載の材料。
（１２）  前記紙またはタケが、食品用パッドの形態である、（９）または（１０）に記載の材料。
（１３）  前記紙またはタケが、呼吸用マスクの形態である、（９）または（１０）に記載の材料。
（１４）  前記タケが、ソックスまたは病院用ガウンなどの衣類の形態である、（１０）に記載の材料。
（１５）  前記材料が、厚紙である、（１）〜（８）のいずれか一項に記載の材料。
（１６）  バイオフラボノイド組成物でセルロース系繊維材料を含浸させる方法であって：ａ）該材料もしくは該材料の繊維を、（１）〜（７）のいずれか一項に記載のバイオフラボノイド組成物に浸漬するか、または該材料もしくは該材料の繊維に該バイオフラボノイド組成物を噴霧する工程；ｂ）該材料を機械的に乾燥させる工程、を含む、上記方法。
（１７）  表面上の細菌量を低下させる方法であって：ａ）（９）、（１０）または（１１）のいずれか一項に記載の材料を水分で湿潤させる工程；および、ｂ）表面上に該材料をを置く工程、および／または該材料を表面全体に塗り付ける工程、を含む、上記方法。
（１８）  前記細菌量が、黄色ブドウ球菌（S. aureus）、大腸菌（E. coli）、緑膿菌（P. aeruginosa）、枯草菌（B. subtilis）、サルモネラ属、ＭＲＳＡ、クロストリジウム・ディフィシレ（C.diff）、およびヘリコバクター・ピロリ（H.pylori）の群から選択される細菌で構成される、（１７）に記載の方法。
（１９）  （１）〜（８）のいずれか一項に記載の乾燥したセルロース系繊維材料を含む、包装された製品。
（２０）  前記セルロース系繊維材料が、（９）、（１０）または（１５）のいずれか一項に記載のものである、（１９）に記載の製品。
（２１）  前記製品が、タオルまたはクロスの形態である、（１９）または（２０）に記載の製品。
（２２）  前記製品が、食品用パッドの形態である、（１９）または（２０）に記載の製品。
（２３）  前記製品が、呼吸用マスクの形態である、（１９）または（２０）に記載の製品。
（２４）  前記製品が、ソックスなどの衣類の形態である、（１９）または（２０）に記載の製品。
ここで、本発明をより詳細に理解するために、単なる一例として、以下の図を参照しながら本発明を説明する。